(57)【要約】【課題】  ヨークとセンターポールの切削加工が簡単となることで部品コストを低減し、またショートリングの取り付け加工が容易にできると共に、組み立てが非常に簡単であるスピーカ装置を提供する。【解決手段】  ヨーク２１中央にセンターポール３１を備えるスピーカ装置１０であって、センターポール３１は、ヨーク２と単一構造のセンターポール下部３ｂ１とこのセンターポール下部３ｂ１上に載置した盤状部材３ａ１を有し、センターポール下部３ｂ１の表面にショートリングＳＲ１を有する。【選択図】      図２
2006041601.tif 000002
【特許請求の範囲】
【請求項１】
センターポールと、該センターポールが中央に形成されるヨークと、該ヨーク上の外周付近に配置されるマグネットと、該マグネット上に配置されるプレートとを備え、該プレートの内縁と前記センターポールの外周面の間にボイスコイルが配置される磁気空隙を形成するスピーカ用磁気回路であって、
前記センターポールが、前記ヨークと単一構造のセンターポール下部上に、該センターポール下部より大きい外径を有する別体の盤状部材を載置することで形成され、
前記盤状部材の外周面によって前記磁気空隙が形成されると共に、前記センターポール下部の表面に非磁性体のショートリングが装着されていることを特徴とするスピーカ用磁気回路。
【請求項２】
前記ショートリングは、前記センターポール下部の上面に当接する位置決め端部を有することを特徴とする請求項１に記載のスピーカ用磁気回路。
【請求項３】
前記ショートリングは第１のショートリングであって、
前記盤状部材と単一構造で前記盤状部材上部に形成された延長部が、前記盤状部材よりも小さい外径を有するように形成され、
前記延長部の表面に第２のショートリングが装着されていることを特徴とする請求項１又は２のいずれかに記載のスピーカ用磁気回路。
【請求項４】
前記ショートリングは第１のショートリングであって、
前記盤状部材上に載置された該盤状部材とは別体の延長部材が、前記盤状部材よりも小さい外径を有するように形成され、
前記延長部材の表面に第２のショートリングが装着されていることを特徴とする請求項１又は２のいずれかに記載のスピーカ用磁気回路。
【請求項５】
前記第２のショートリングは、前記延長部又は前記延長部材の側面及び上表面に装着されることを特徴とする請求項３又は４のいずれかに記載のスピーカ用磁気回路。
【請求項６】
センターポールと、該センターポールが中央に形成されるヨークと、該ヨーク上の外周付近に配置されるマグネットと、該マグネット上に配置されるプレートとを備え、該プレートの内縁と前記センターポールの外周面の間にボイスコイルが配置される磁気空隙を形成するスピーカ用磁気回路であって、
前記センターポールが、前記ヨーク上に該ヨークとは別体のセンターポール下部を載置し、該センターポール下部と単一構造で該センターポール下部より大きい外径を有する張出部を備えることで形成され、
前記張出部の外周面によって前記磁気空隙が形成されると共に、前記センターポール下部の表面に非磁性体のショートリングが装着されていることを特徴とするスピーカ用磁気回路。
【請求項７】
前記ショートリングは第１のショートリングであって、
前記張出部と単一構造で前記張出部上部に形成された延長部が、前記張出部よりも小さい外径を有するように形成され、
前記延長部の表面に第２のショートリングが装着されていることを特徴とする請求項６に記載のスピーカ用磁気回路。
【請求項８】
前記ショートリングは第１のショートリングであって、
前記張出部上に載置された該張出部とは別体の延長部材が、前記張出部よりも小さい外径を有するように形成され、
前記延長部材の表面に第２のショートリングが装着されていることを特徴とする請求項６に記載のスピーカ用磁気回路。
【請求項９】
前記第２のショートリングは、前記延長部又は前記延長部材の側面及び上表面に装着されていることを特徴とする請求項７又は８のいずれかに記載のスピーカ用磁気回路。
【請求項１０】
請求項１〜９のいずれかに記載のスピーカ用磁気回路を備え、前記磁気空隙内にボイスコイルを配置したボイスコイルボビンを備えることを特徴とするスピーカ装置。
【請求項１１】
センターポールと、該センターポールが中央に形成されるヨークと、該ヨーク上の外周付近に配置されるマグネットと、該マグネット上に配置されるプレートとを備え、該プレートの内縁と前記センターポールの外周面の間にボイスコイルが配置される磁気空隙を形成するスピーカ用磁気回路の製造方法であって、
前記ヨークと単一構造のセンターポール下部の表面に非磁性体のショートリングを装着した後、前記センターポール下部上に該センターポール下部よりも大きな外径の盤状部材を載置して、前記センターポール下部と前記盤状部材でセンターポールを形成することで、前記盤状部材の外周面によって前記磁気空隙を形成することを特徴としたスピーカ用磁気回路の製造方法。
【請求項１２】
センターポールと、該センターポールが中央に形成されるヨークと、該ヨーク上の外周付近に配置されるマグネットと、該マグネット上に配置されるプレートとを備え、該プレートの内縁と前記センターポールの外周面の間にボイスコイルが配置される磁気空隙を形成するスピーカ用磁気回路の製造方法であって、
前記センターポールが、センターポール下部と該センターポール下部より大きい外径を有し該センターポール下部と単一構造の張出部を備えることで形成され、
前記センターポール下部の表面に非磁性体のショートリングを装着した後、前記センターポールが、該センターポールとは別体の前記ヨーク上に載置され、前記張出部の外周面によって前記磁気空隙が形成されることを特徴とするスピーカ用磁気回路の製造方法。
【発明の詳細な説明】
【技術分野】
【０００１】
本発明はスピーカ用磁気回路及びその製造方法、スピーカ装置に関するものである。
【背景技術】
【０００２】
図１は、一般的な外磁形の磁気回路を備えたスピーカ装置１の一部を示す断面図である。このようなスピーカ装置１の磁気回路は、センターポール３と、センターポール３が中央に形成されるヨーク２と、ヨーク２上の外周付近に配置されるマグネット４と、マグネット４上に配置されるプレート５とを備える。そして、このプレート５内縁とセンターポール３外周面の間に一定の間隔の磁気空隙６が形成され、この磁気空隙６内にボイスコイル７を有するボイスコイルボビン８が配置される基本構成を備えている。
【０００３】
このようなスピーカ装置１は、プレート５の上下で磁気回路の形状が異なること、或いは振動するボイスコイル７から発生する交流磁束分が磁気回路の直流磁束に影響を及ぼすことにより、磁気空隙６の上下方向の磁束分布において対称性が得られないことで出力に歪みが生じる問題がある。
【０００４】
この歪みの一因である交流磁束成分を排除するために、センターポール３から離間したマグネット４の内側に非磁性体からなるショートリングを配置することで、発生する交流磁束をキャンセルして直流磁束に与える影響を低減することが考えられていたが、ショートリングをマグネット内側に配置することで、効果的に交流磁束を排除するにはマグネットの内径を大きくしなければならない場合があり、その結果外径あるいは厚さの大きなマグネットの使用によって、スピーカ装置自体のコスト高と重量増を招くという問題があった。
【０００５】
そこで、下記特許文献１に記載された従来技術によると、上述した問題を克服するために、センターポール３の磁気空隙６に面した張出部３Ａを境界として、センターポール３の下方と上方の表面にショートリングＳ１，Ｓ２を装着することで対処することが提案されている。
【０００６】
【特許文献１】特許第３００３３９７号公報
【発明の開示】
【発明が解決しようとする課題】
【０００７】
しかしながら、図１の特許文献１に記載された発明は、センターポール３が凹凸の多い複雑な形状をしている上に円盤状のヨーク２と単一構造であるため、ショートリングＳ１，Ｓ２を取り付ける作業、特にセンターポール３とヨーク２との屈曲箇所のショートリングＳ１の取り付け作業は非常に困難であり、製造工程の煩雑化を招いていた。また、ヨーク２を含めたセンターポール３の形状が非常に複雑であったため、これらの切削加工は加工コストの増大の要因となっていた。
【０００８】
本発明は、このような問題に対処することを課題の一例とするものである。すなわち、ボイスコイル内側のセンターポール外周に非磁性体のショートリングを設けることで、ボイスコイルの振動によって生じる交流磁束の影響を排除したスピーカ用磁気回路において、ヨークとセンターポールの形状を単純化することで切削加工過程を削減すること、またこれに伴いショートリングの取り付け作業を簡易化して部品コストや加工コスト、或いは組み立てコストの低減を図ること等、が本発明の目的である。
【課題を解決するための手段】
【０００９】
このような目的を達成するために、本発明によるスピーカ用磁気回路及びその製造方法、スピーカ装置は、以下の各独立請求項に係る構成を少なくとも具備するものである。
【００１０】
[請求項１]センターポールと、該センターポールが中央に形成されるヨークと、該ヨーク上の外周付近に配置されるマグネットと、該マグネット上に配置されるプレートとを備え、該プレートの内縁と前記センターポールの外周面の間にボイスコイルが配置される磁気空隙を形成するスピーカ用磁気回路であって、前記センターポールが、前記ヨークと単一構造のセンターポール下部上に、該センターポール下部より大きい外径を有する別体の盤状部材を載置することで形成され、前記盤状部材の外周面によって前記磁気空隙が形成されると共に、前記センターポール下部の表面に非磁性体のショートリングが装着されていることを特徴とするスピーカ用磁気回路。
【００１１】
[請求項６]センターポールと、該センターポールが中央に形成されるヨークと、該ヨーク上の外周付近に配置されるマグネットと、該マグネット上に配置されるプレートとを備え、該プレートの内縁と前記センターポールの外周面の間にボイスコイルが配置される磁気空隙を形成するスピーカ用磁気回路であって、前記センターポールが、前記ヨーク上に該ヨークとは別体のセンターポール下部を載置し、該センターポール下部と単一構造で該センターポール下部より大きい外径を有する張出部を備えることで形成され、前記張出部の外周面によって前記磁気空隙が形成されると共に、前記センターポール下部の表面に非磁性体のショートリングが装着されていることを特徴とするスピーカ用磁気回路。
【００１２】
[請求項１１]センターポールと、該センターポールが中央に形成されるヨークと、該ヨーク上の外周付近に配置されるマグネットと、該マグネット上に配置されるプレートとを備え、該プレートの内縁と前記センターポールの外周面の間にボイスコイルが配置される磁気空隙を形成するスピーカ用磁気回路の製造方法であって、前記ヨークと単一構造のセンターポール下部の表面に非磁性体のショートリングを装着した後、前記センターポール下部上に該センターポール下部よりも大きな外径の盤状部材を載置して、前記センターポール下部と前記盤状部材でセンターポールを形成することで、前記盤状部材の外周面によって前記磁気空隙を形成することを特徴としたスピーカ用磁気回路の製造方法。
【００１３】
[請求項１２]センターポールと、該センターポールが中央に形成されるヨークと、該ヨーク上の外周付近に配置されるマグネットと、該マグネット上に配置されるプレートとを備え、該プレートの内縁と前記センターポールの外周面の間にボイスコイルが配置される磁気空隙を形成するスピーカ用磁気回路の製造方法であって、前記センターポールが、センターポール下部と該センターポール下部より大きい外径を有し該センターポール下部と単一構造の張出部を備えることで形成され、前記センターポール下部の表面に非磁性体のショートリングを装着した後、前記センターポールが、該センターポールとは別体の前記ヨーク上に載置され、前記張出部の外周面によって前記磁気空隙が形成されることを特徴とするスピーカ用磁気回路の製造方法。
【発明を実施するための最良の形態】
【００１４】
以下、本発明の実施形態に係るスピーカ用磁気回路及びその製造方法、スピーカ装置について、図面を参照にしながら詳細に説明する。なお、本発明の実施形態は、図１に示す従来技術と同一構成要素に同一符号を付し、また同一内容についてはその重複説明を省略する。
【００１５】
図２（ａ），（ｂ）は、本発明の第１の実施形態に係るスピーカ装置１０，２０の一部を示した断面図である。これらの図に示したスピーカ装置１０，２０の磁気回路は、ヨーク２１，２２を含めたセンターポール３１、３２が２ピース（２部品）構成となるように形成されたものである。以下、これらについて順次説明する。
【００１６】
図２（ａ）に示すスピーカ装置１０の磁気回路は、センターポール３１がヨーク２１と単一構造のセンターポール下部３ｂ１上に、このセンターポール下部３ｂ１よりも大きい外径を有する別体の盤状部材３ａ１を載置することで形成され、この盤状部材３ａ１の外周面とプレート５の内縁によって磁気空隙６が形成される。センターポール下部３ｂ１よりも大きな径を有する円盤状の盤状部材３ａ１は、磁気空隙６を介して近接するプレート５とほぼ同厚を有する。
【００１７】
ショートリングＳＲ１は、センターポール下部３ｂ１の側面に装着され、必要に応じてセンターポール下部３ｂ１の上表面に連続して装着されてもよい。なお、この場合、ショートリングＳＲ１は、センターポール下部３ｂ１の上面に当接する位置決め端部を有する。これによりショートリングＳＲ１がセンターポール下部３ｂ１の所望位置に確実に装着できる。なお、後述する図３（ａ），図４（ａ）に示すショートリングＳＲ３，ＳＲ７も同様な効果を有する。
【００１８】
このような実施形態によると、スピーカ装置１０のセンターポール３１を組み立てる際には、ヨーク２１と単一構造のセンターポール下部３ｂ１を形成し、表面に非磁性体のショートリングＳＲ１を装着する。その後、センターポール下部３ｂ２上にセンターポール下部３ｂ２よりも大きな外径の盤状部材３ａ１を載置することで図２（ａ）に示すセンターポール３１は得られる。そして、盤状部材３ａ１の外周によって形成された磁気空隙６内にボイスコイル７を配置したボイスコイルボビン８を備えることでスピーカ装置１０の基本構成は得られる。
【００１９】
このように、ヨーク２１と単一構造のセンターポール下部３ｂ１は比較的簡易な形状をなし、また盤状部材３ａ１はプレート５とほぼ同厚の円盤状という単純な形状をなす。これにより、本実施形態のスピーカ装置１０のセンターポール３１は共に単純形状の２つの部品を組み合わせたものであると言え、切削加工が簡単であるとともにショートリングＳＲ１の取り付け作業も容易となる。
【００２０】
次に、図２（ｂ）に示すスピーカ装置２０の磁気回路について説明する。このスピーカ装置２０は、ヨーク２２とセンターポール３２が組み立て前には完全に離別した構成をなす。センターポール３２は、別体のヨーク２２上にセンターポール下部３ｂ２を載置し、センターポール下部３ｂ２と単一構造でセンターポール下部３ｂ２より大きい外径を有する張出部３ａ２を備えることで形成され、この張出部３ａ２の外周面とプレート５の内縁によって磁気空隙６が形成されると共に、このセンターポール下部３ｂ２の表面にショートリングＳＲ２が装着される。
【００２１】
このような実施形態によると、図２（ｂ）はヨーク２２とセンターポール３２が完全に離別した構成となり、そしてこれらを組み立てる際は、センターポール下部３ｂ２表面に非磁性体のショートリングＳＲ２を装着した後、センターポール３２と別体の円盤状のヨーク２２の中心に接着して載置されることで、図２（ｂ）に示すセンターポール３２は得られる。そして、張出部３ａ２の外周によって形成された磁気空隙６内にボイスコイル７を配置したボイスコイルボビン８を備えることでスピーカ装置２０の基本構成は得られる。
【００２２】
このように、ヨーク２２は一枚の円盤状からなり、センターポール３２は、上部が張出部３ａ２、下部がこの張出部３ａ２よりも外径が小さいセンターポール下部３ｂ２からなる単一構造を有する。したがって、本実施形態のスピーカ装置２０のヨーク２２とセンターポール３２は共に単純形状の２つの部品を組み合わせたものであると言え、切削加工が簡単であるとともにショートリングＳＲ２の取り付け作業も容易となる。
【００２３】
次に図３（ａ），（ｂ）について説明する。図３（ａ），（ｂ）は本発明の第２の実施形態を示した断面図である。これらの図に示したスピーカ装置３０，４０の磁気回路は、センターポールの上部に延長部を備える点で図２（ａ），（ｂ）に記載のスピーカ装置１０，２０の磁気回路と構成が異なる。すなわち、この延長部の周囲にショートリングを装着し、ヨーク２３，２４を含めたセンターポール３３，３４が２ピース（２部品）構成となるように形成されたものである。以下、これらについて順次説明する。
【００２４】
図３（ａ）に示すスピーカ装置３０の磁気回路は、ヨーク２３と単一構造のセンターポール下部３ｂ３を備え、このセンターポール下部３ｂ３上に別体の盤状部材３ａ３が載置されている。そして、盤状部材３ａ３上部にこの盤状部材３ａ３と単一構造の延長部３ｃ３を備える。この延長部３ｃ３は、盤状部材３ａ３よりも外径が小さく、その表面に第２のショートリングＳＲ４が装着されている。このショートリングＳＲ４は、延長部３ｃ３の側面に配置され、必要に応じて、延長部３ｃ３の上表面をすべて被覆するように形成されてもよい。センターポール下部３ｂ３の周囲には、図２（ａ）と同様にショートリングＳＲ３が装着される。
【００２５】
このような実施形態によると、スピーカ装置３０のセンターポール３３を組み立てる際には、ヨーク２３と単一構造のセンターポール下部３ｂ３を形成し、その後ショートリングＳＲ３をセンターポール下部３ｂ３周囲に装着する。そして、周囲と必要に応じてその上表面にショートリングＳＲ４を装着した延長部３ｃ３を備えた盤状部材３ａ３を、センターポール下部３ｂ２上に載置することで図３（ａ）に示すセンターポール３３は得られる。そして、盤状部材３ａ３の外周によって形成された磁気空隙６内にボイスコイル７を配置したボイスコイルボビン８を備えることでスピーカ装置３０の基本構成は得られる。
【００２６】
このように、ヨーク２３と単一構造のセンターポール下部３ｂ３は単純な形状をなし、また別体の盤状部材３ａ３はプレート５とほぼ同厚の円盤状をなすと共に、その上部に外径が小さい延長部３ｃ３を有する比較的単純な形状をなす。これにより、本実施形態のスピーカ装置３０のセンターポール３３は共に単純形状の２つの部品を組み合わせたものであると言え、切削加工が簡単であるとともにショートリングＳＲ３，ＳＲ４の取り付け作業も容易となる。
【００２７】
次に、図３（ｂ）に示すスピーカ装置４０について説明する。図３（ｂ）に示すスピーカ装置４０の磁気回路のセンターポール３４は、磁気空隙６に面する張出部３ａ４の下部に、この張出部３ａ４よりも外径が小さく周囲にショートリングＳＲ５を装着したセンターポール下部３ｂ４を備える。また、張出部３ａ４上部に、この張出部３ａ４よりも外径が小さい延長部３ｃ４を備えると共にこの延長部３ｃ４の表面にショートリングＳＲ６が装着されている。つまり、本発明の実施形態は、センターポール３４が張出部３ａ４とセンターポール下部３ｂ４、そして延長部３ｃ４から構成され、これらはすべて単一構造であり、同一部材から形成される。
【００２８】
このような実施形態によると、スピーカ装置４０は、ヨーク２４とセンターポール３４が完全に離別した別体からなる構成となり、そしてこれらを組み立てる際には、張出部３ａ４を境界にして、下部のセンターポール下部３ｂ４周囲にはショートリングＳＲ５を装着し、また上部の延長部３ｃ４の周囲及び上表面にはショートリングＳＲ６を装着する。その後、円盤状のヨーク２４の中心にセンターポール下部３ｂ４を接着することで、図３（ｂ）に示すセンターポール３４は得られる。そして、張出部３ａ４の外周によって形成された磁気空隙６内にボイスコイル７を配置したボイスコイルボビン８を備えることでスピーカ装置４０の基本構成は得られる。
【００２９】
このように、ヨーク２４は一枚の円盤状からなる単純な形状をなし、センターポール３４はセンターポール下部３ｂ４とそれよりも外径の大きな張出部３ａ４、及びこの張出部３ａ４よりも外径が小さい延長部３ｃ４からなる比較的単純な形状の部品からなる。よって本実施形態では、比較的単純形状のセンターポール３４の下部と上部にショートリングＳＲ５，ＳＲ６を装着し、円盤状のヨーク２４の中心にこのセンターポール下部３ｂ４を接着するだけでよい。したがって、これらはすべて比較的単純な形状であるため、本発明の実施形態のスピーカ装置４０のセンターポール３４は、切削加工が簡単であるとともにショートリングＳＲ５，ＳＲ６の取り付け作業も容易となる。
【００３０】
次に、図４（ａ），（ｂ）について説明する。図４（ａ），（ｂ）は、本発明の第３の実施形態を示した断面図である。これらの図に示したスピーカ装置５０，６０の磁気回路は、センターポールの最上部に延長部材を形成するものである。したがって、スピーカ装置５０，６０のヨーク２５，２６を含めたセンターポール３５，３６が３ピース（３部品）構成となるように形成される。以下、これらについて順次説明する。
【００３１】
図４（ａ）に示すスピーカ装置５０の磁気回路は、センターポール３５が磁気空隙６に面した盤状部材３ａ５と、ヨーク２と単一構造のセンターポール下部３ｂ５に加え、盤状部材３ａ５とは別体の延長部材３ｃ５を盤状部材３ａ５上に載置されている。ここで、延長部材３ｃ５とセンターポール下部３ｂ５は、共に盤状部材３ａ５よりも外径が小さくなるように形成される。そして、センターポール下部３ｂ５の周囲にショートリングＳＲ７が装着され、同様に延長部材３ｃ５の周囲にショートリングＳＲ８が装着されている。なお、このショートリングＳＲ８は、必要に応じて延長部材３ｃ５の上表面に装着する形状となってもよい。
【００３２】
このような実施形態によると、スピーカ装置５０のセンターポール３５を組み立てる際には、ヨーク２５と単一構造のセンターポール下部３ｂ５を形成し、その後ショートリングＳＲ７をセンターポール下部３ｂ５の側面、及び必要に応じて上表面に装着する。そして、センターポール下部３ｂ５上に盤状部材３ａ３を載置し、その上からショートリングＳＲ８を表面に装着した延長部材３ｃ５を載置することでスピーカ装置５０のセンターポール３５は得られる。また、延長部材３ｃ５を載置した後に、ショートリングＳＲ８を表面に装着してもよい。なお、このショートリングＳＲ８は、必要に応じて延長部材３ｃ５の上表面に装着する形状となってもよい。そして、盤状部材３ａ５の外周によって形成された磁気空隙６内にボイスコイル７を配置したボイスコイルボビン８を備えることでスピーカ装置５０の基本構成は得られる。
【００３３】
このように、センターポール３５が、円盤状の盤状部材３ａ５と、ヨーク２５と単一構造のセンターポール下部３ｂ５、及び円盤状の延長部材３ｃ５の３ピースからなり、本発明の実施形態のスピーカ装置５０のセンターポール３５は、すべて単純な形状であるため切削加工が簡単であるとともにショートリングＳＲ７，ＳＲ８の取り付け作業も容易となる。
【００３４】
次に、図４（ｂ）に示すスピーカ装置６０の磁気回路は、ヨーク２６とセンターポール３６が組み立て前には完全に離別した別体からなる。そしてセンターポール３６の形状は、上部に磁気空隙６に面する張出部３ａ６と、下部にその張出部３ａ６と単一構造であって、張出部３ａ６よりも外径が小さいセンターポール下部３ｂ６を有する。そして、張出部３ａ６よりも外径が小さく、盤状部材３ａ５と別体の延長部材３ｃ６が張出部３ａ６上に載置される。
【００３５】
このような実施形態によると、スピーカ装置６０のセンターポール３６を組み立てる際には、ショートリングＳＲ９を周囲に装着したセンターポール下部３ｂ５を、円盤状のヨーク２の中心に接着し、その後ショートリングＳＲ１０を周囲に装着した延長部材３ｃ５をセンターポール下部３ｂ５上に載置することでスピーカ装置６０のセンターポール３６は得られる。また、延長部材３ｃ６を載置した後に、ショートリングＳＲ１０を表面に装着してもよい。なお、このショートリングＳＲ１０は、必要に応じて延長部材３ｃ６の上表面に装着する形状となってもよい。そして、張出部３ａ６の外周によって形成された磁気空隙６内にボイスコイル７を配置したボイスコイルボビン８を備えることでスピーカ装置６０の基本構成は得られる。
【００３６】
このように、センターポール３６が、円盤状のヨーク２上に、張出部３ａ６と単一構造のセンターポール下部３ｂ６、及び張出部３ａ６上に載置した延長部材３ａ６の３ピースからなり、本発明の実施形態のスピーカ装置６０のセンターポール３６は単純な形状であるため切削加工が簡単であるとともにショートリングＳＲ９，ＳＲ１０の取り付け作業も容易となる。
【００３７】
なお、本発明の実施形態の図２（ａ），図３（ａ），図４（ａ）は、ヨーク２１，２２，２３と単一構造のセンターポール下部３ｂ１，３ｂ３，３ｂ５の周囲に装着したショートリングＳＲ１，ＳＲ３，ＳＲ７がセンターポール下部の上表面の外周に沿って形成され、これらがセンターポール下部の上面に当接する位置決め端部を有する例を示したが、これに限らずセンターポール下部３ｂ１，３ｂ３，３ｂ５の上表面すべてを被覆するような冠状のショートリングを装着するものであってもよい。これにより、これらのショートリングの位置決めが正確に行われると共に、センターポール下部３ｂ１，３ｂ３，３ｂ５の上表面すべてがショートリングで覆われていたるため、ボイスコイルの振動によって生じる交流磁束が直流磁束に与える影響を著しく低減することが可能となる。
【００３８】
また、本発明の実施形態で用いたショートリングは非磁性体の金属を採用しており、例えば銅、アルミニウム等が挙げられるが、その他に非磁性体の金属であり直流磁束に与える影響を減じるものであればよい。
【００３９】
以上説明したように、本発明の実施形態に係るスピーカ用磁気回路及びその製造方法、そしてこれらのスピーカ用磁気回路を備えたスピーカ装置は、ヨークを含むセンターポールが２ピース又は３ピース構造であるため、これらにショートリングを取り付ける作業が容易にできるので、組み立てコストの低減が図れる。
【００４０】
また、各部品が比較的単純な形状であるためこれらの切削加工が容易となり、部品コストを低減できると共に、組み立てが非常に簡単となるため、その形成過程をこれまでよりも大幅に短縮できるので、煩雑な切削加工を削減し、加工コストも低減できる。
【００４１】
更には、装着したショートリングによって、ボイスコイルの振動によって生じる交流磁束の影響を排除できるスピーカ用磁気回路を実現できると共に、センターポール下部の上面に装着したショートリングが、その上面と一部当接するための位置決め端部を有しているため、正確な位置にショートリングを装着可能とする。
【図面の簡単な説明】
【００４２】
【図１】従来技術のスピーカ装置の一部を示す断面図である。
【図２】本発明の第１の実施形態（２ピース）に係るスピーカ装置の一部を示す断面図である。
【図３】本発明の第２の実施形態（２ピース）に係るスピーカ装置の一部を示す断面図である。
【図４】本発明の第３の実施形態（３ピース）に係るスピーカ装置の一部を示す断面図である。
【符号の説明】
【００４３】
２，２１〜２６      ヨーク
３，３１〜３６      センターポール
３ａ１，３ａ３，３ａ５      盤状部材
３ａ２，３ａ４，３ａ６      張出部
３ｂ１〜３ｂ６      センターポール下部
３ｃ３，３ｃ４      延長部
３ｃ５，３ｃ６      延長部材
１０，２０，３０，４０，５０，６０      スピーカ装置
ＳＲ１〜ＳＲ１０      ショートリング
【図１】
2006041601.tif 000003
【図２】
2006041601.tif 000004
【図３】
2006041601.tif 000005
【図４】
2006041601.tif 000006